(57)【要約】      （修正有）【課題】電線を挿入する過程において電線を容易に接続端子の挟持構造に挿入できる接続端子挟持構造を提供する。【解決手段】絶縁ケージング１と、絶縁ケージング内に設ける導電挟持枠２と、絶縁ケージング上に設ける挿入口及び開口と、を包含し、導電挟持枠は電気接続部２０及び電気接続部の両側にそれぞれ設ける二つの弾性部２１、２２と、各弾性部はそれぞれ延伸することで挟持部２１１、２２１を形成し、各挟持部間に相対し合って、挿入口に対応する挿入スロットと、挟持口２４０とを形成し、挟持口と挿入スロット間は互いに連通し、且つ挟持部の先端部と挟持口間はスロットが設けてあり、開口内には挟持口を押圧によって展開するためのボタン３を設置し、少なくとも一つの挟持部上にスロットを遮蔽する係止部２１３を設け、且つ挟持口の先端部が少なくても係止部における遮蔽の高さ以上である。【選択図】図２
0003204016.tif 000002
【実用新案登録請求の範囲】
【請求項１】
絶縁ケージングと、前記絶縁ケージング内に設ける導電挟持枠と、を包含し、前記絶縁ケージング上は挿入口及び開口が設けられ、前記導電挟持枠は電気接続部及び前記電気接続部の両側にそれぞれ設ける二つの弾性部と、を包括し、各前記弾性部はそれぞれ延伸して形成される挟持部と、各前記挟持部間は相対し合って、前記挿入口に対応する挿入スロットと、挟持口と、を形成し、前記挟持部の頭頂縁の位置する箇所にスロットを形成し、前記開口内部には前記挟持口を押圧によって展開する可動式のボタンを設け、前記弾性部の少なくても一つは前記挟持部上に前記スロットを遮蔽できる係止部を設け、且つ前記挟持口の先端部が少なくても前記係止部における遮蔽の高さ以上であることを特徴とする接続端子挟持構造である。
【請求項２】
前記電気接続部から前記挟持口の先端部に至るまでの間における高度差が、少なくても前記電気接続部から前記係止部の間の高度差より大きいか、或いは同等（小さくはない）であることを特徴とする請求項1に記載の接続端子挟持構造である。
【請求項３】
前記挟持口の先端部に前記開口に向かって展開する形態を有する挟持先端口を設け、前記挟持先端口が少なくても前記係止部の係止高さより低くないことを特徴とする請求項1或いは２に記載の接続端子挟持構造である。
【請求項４】
前記弾性部の一つが、前記弾性部間まで延伸する前記接続部を設けており、前記接続部には前記開口に向かって延伸、且つ各前記挟持部間を橋架する弾性アームを設けており、前記ボタンは前記弾性アーム上に設けられ、前記絶縁ケージングの前記開口内部とは分けて可動に設置し、且つ前記弾性アームには前記係止部と前記接続部間に延伸する曲折部を設けており、局部スロットを遮蔽することができることを特徴とする請求項１或いは２に記載の接続端子挟持構造である。
【請求項５】
前記弾性部の一つが、前記弾性部間まで延伸する前記接続部を設けており、前記接続部には前記開口に向かって延伸、且つ各前記挟持部間を橋架する弾性アームを設けており、前記ボタンは前記弾性アーム上に設けられ、前記絶縁ケージングの前記開口内部とは分けて可動に設置し、且つ前記弾性アームには前記係止部と前記接続部間に延伸する曲折部を設けており、局部スロットを遮蔽することができることを特徴とする請求項３に記載の接続端子挟持構造である。
【請求項６】
前記挟持先端口上に前記開口に向かって設ける二つの当接面と、前記ボタン上に各前記当接面に向かって設ける二つの押圧面を有することを特徴とする請求項３或いは５に記載の接続端子挟持構造である。
【請求項７】
前記挟持先端口と各前記当接面との間に凹溝を形成しており、各前記押圧面は前記挟持先端口にある前記凹溝を遮蔽するように延伸したエッジ部に対し、相互に繋ぎ合せるように形成され、且つ前記エッジ部は前記凹溝の一側に向かって係止面を設けていることを特徴とする請求項６に記載の接続端子挟持構造である。
【請求項８】
前記弾性部の一つと、前記接続部と、を突起部及び嵌合部を介して互いに組合わせることを特徴とする請求項４或いは５に記載の接続端子挟持構造である。
【請求項９】
前記突起部上には凹部を設け、前記嵌合部には前記凹部に嵌合できる凸部を設けることを特徴とする請求項８に記載の接続端子挟持構造である。
【請求項１０】
前記挟持口に向かって延伸する前記弾性部にある前記挟持部が、少なくても二回以上の内折り部によって全ての内挟距離を完成させることを特徴とする請求項１乃至９に記載の接続端子挟持構造である。
【請求項１１】
前記弾性部が前記電気接続部の両側にある第一弾性部及び第二弾性部によって形成されることを特徴とする請求項１乃至１０に記載の接続端子挟持構造である。
【考案の詳細な説明】
【技術分野】
【０００１】
本考案は、電子パーツにある接続ピンの接続端子に対し、特に電線が接続端子外部に延出するのを阻止する挟持構造であり、とりわけ電線を容易に挟持に導引し、挿入できる接続端子挟持構造である。
【背景技術】
【０００２】
接続端子は、コネクタとも呼ばれ、主に電子パーツと電子パーツ間の電線、或いは電子パーツの接続ピンを回路基盤上に接続するのに用いられ、前記電子パーツはレジスタ、キャパシタ、インダクタ、LED、変圧器、液晶パネル、タッチパネル等を包括しており、電源或いはデジタル信号のインプットを介して、電子製品、電子設備内の回路基盤と電子パーツ間の配置及び修理を便利にする。  
【０００３】
現在市場における接続端子の種類は豊富で、従来の接続端子は、図１に図示するように、通常はプラスチックから成る絶縁ケージング１ａ及び前記絶縁ケージング１ａ内部に被覆される金属製の導電挟持枠２ａから形成される。前記絶縁ケージング１ａの先端は、外部から電線を挿入することができる挿入口１１ａを設け、また、前記絶縁ケージング１ａの頭頂部は、開口１２ａを設けており、前記導電挟持枠２ａは、前記絶縁ケージング１ａの底部に露出する電気接続部２０ａ及び前記電気接続部２０ａの両側に、それぞれ設ける二つの弾性部２１ａ、２２ａを包括し、前記接続端子は、前記電気接続部２０ａを介して、回路基盤上に接続することが可能である。各前記弾性部２１ａ、２２ａは、それぞれ向かい合うように延在するプレート状の挟持部２１１ａ、２２１ａと、各前記挟持部２１１ａ、２２１ａ間に挿入口１１ａに対応する挟持口２４ａが形成され、各前記挟持部２１１ａ、２２１ａ間にある底部は、前記電気接続部２０ａにより、遮られるが、前記挟持部２１１ａ、２２１ａ間の先端部を遮る構造はなく、さらに前記挟持部２１１ａ、２２１ａと、前記挟持口２４ａ間に、スロット２５ａを形成し、且つ前記挟持口２４ａの先端部と、前記スロット２５ａ間に、挟持先端口２４１ａを形成し、前記挟持口２１１ａ、２２１ａ間に対応する可動なボタン３ａを前記開口１２ａ内部に設置することができる。
【０００４】
外部の電線は、前記絶縁ケージング１ａの先端部にある前記挿入口１１ａを介して前記挟持口２４ａ内に挿入することができ、前記挟持部２１１ａ、２２１ａの弾性作用を介して前記挟持口２４ａは、前記電線を挟持固定し、接続端子は前記導電挟持枠を介して、前記導電挟持枠２ａが前記電線を挟持固定し、導電と、前記電線が抜け落ちるのを防ぐ効能と、を有している。また、前記ボタン３ａを押圧時、前記ボタン３ａは下方に移動することで前記挟持口２４ａを展開することができ、前記電線を挟持している前記挟持口２４ａを開放し、抜去できる。
【０００５】
しかしながら、前記電線を前記挿入口１１ａに挿入する際、もし、前記電線の先端である挿入端が曲がっていた場合、電線は非常に容易に傾いたまま前記挟持口２４ａ以外の方向或いはエリアに向かって延伸してしまい、各前記挟持部２２１ａ、２２１ａ間の底部にある前記電気接続部２０ａが電線の傾きにより外部に延出することを係止する以外に、各前記挟持部２１１ａ、２２１ａ間の頭頂部にあるスロット２５ａと、挟持先端口２４１ａ及びボタン３ａの下方エリアには、電線が傾いたまま前記導電挟持枠２ａに挿入されるのを阻止できる構造及び機構はなく、前記電線が挿入段階で傾いていたり、力が不正にかかると、特に電線の先端部が前記スロット２５ａに向かって貫き、前記挟持先端口２４１ａ或いはボタン３ａの下方エリア或いは前記導電挟持枠２ａの外に貫通し、前記電線は正確に前記挟持口２４ａ内で挟持されず、接続端子が電線に対する挟持固定、導電、前記電線が抜け落ちるのを防ぐ効能を容易に低下、或いは損失してしまい、操作における不確定性の向上を導いてしまう。
【０００６】
このほかに、径が大きい電線を使用する際、前記挟持口２４ａの展開量は前記電線の径が通過できる距離である必要があり、また、前記ボタン３ａはより深く、比較的強く押圧する必要があり、或いはユーザーが尖端な工具を使用し、補助する必要があり、操作上とても不便である。さらに各弾性部２１ａ、２２ａ同士は接続されておらず、前記電線による押圧及び前記ボタン３ａは各前記挟持部２１１ａ、２２１ａを反復押動し、前記挟持口２４ａを展開する状況下で、各前記弾性部２１ａ、２２ａと前記挟持部２１１ａ、２２１ａ間は、作用により容易に変形或いは展開してしまい、前記挟持口２４ａは、原始の弾性による前記電線を挟持する作用をなくし、特に比較的細い電線を挟持できなくなり、大きな損失となる。
【０００７】
さらに、一般的に接続端子は、前記弾性部２１ａ、２２ａから前記挟持部２１１ａ、２２１ａを前記挟持口２４ａまで延伸し、すべて内側に一回折り曲げて形成されるが、完全に太さを問わず、複数の電線に対応するためには、前記内側に折り曲げ角度を増大する必要があり、これにより、細い電線も挟持することができる。しかしながら、相対して前記挟持部２１１ａ、２２１ａ或いは前記挟持口２４ａに前記電線を挿入する際、抵抗力が増幅し、前記電線を容易に挿入できず、理想的ではない。以上を鑑みるに従来の技術には欠点があり、改善の余地がある。
【考案の概要】
【考案が解決しようとする課題】
【０００８】
本考案に係る主要の目的は、電線を挿入する過程において、前記電線が傾いたまま導電挟持枠にある挟持口以外に貫通するのを阻止するものであり、且つ、前記電線を容易に接続端子の挟持構造に引導し、挿入できる接続端子挟持構造の提供であり、従来の技術中において、前記電線が挿入時に容易に傾いたまま、導電挟持枠或いは挟持口エリア以外に貫通することで、接続端子が前記電線を挟持し、導電或いは電線が抜け落ちるのを防ぐ効能が低減或いは損失してしまう点を克服している。
【課題を解決するための手段】
【０００９】
上記目的を達成するために、本考案の接続端子挟持構造は絶縁ケージングと、前記絶縁ケージング内に設ける導電挟持枠と、を包含し、前記絶縁ケージング上に挿入口及び開口を設け、前記導電挟持枠は、電気接続部及び前記電気接続部の両側にそれぞれ設ける第一弾性部及び第二弾性部等の二つの弾性部と、を包括し、各前記弾性部はそれぞれ延伸して挟持部を形成し、各前記挟持部間に相対し合う、前記挿入口に対応する挟持口を形成し、また、前記挟持部と前記挟持口間に挿入スロットを形成し、前記挿入スロットは前記電気接続部でない一側に向かってスロットを設け、前記挟持口と前記スロット間に挟持口の頂部に位置する先端口を設け、前記開口内には、前記挟持口を押圧によって開け閉めできるボタンを可動な設置をし、少なくともひとつの前記第一弾性部及び前記第二弾性部にある前記挟持部上に前記スロットを遮蔽する係止部を設け、前記電気接続部が前記挟持先端口に至るまでの高さを前記電気接続部が前記係止部以下に至るまでの高さと少なくとも同じ、或いはそれ以上にすることで、前記挿入スロットは、前記スロットを通して前記挟持口の部位まで連通し、すべて前記電気接続部から挟持口に至る以下のエリアに対応する前記挟持口を有する。
【００１０】
上述に基づき、前記挟持先端口の高さが少なくてもすべて前記係止部より高いか或いは前記係止部と揃っており、前記挟持口の先端部にある前記挟持先端口は、すべて前記係止部以下の前記挿入スロットに対応して通連する前記挟持口エリア以外に位置することで、前記電線が前記挿入口より前記弾性部間にある前記挿入スロットに挿入される際、前記係止部は、係止並びに前記電線を容易に前記挟持部、及び前記スロット間に延在する前記挟持口に導引することで前記導電挟持枠以外に貫通することを防ぐことができる。以上より、使用上の挿入不具合率を低減することができる。
【００１１】
上述における主要構造の特徴に基づくと、前記弾性部の一つは、前記弾性部間まで延伸する接続部を設けており、前記接続部は、前記開口に向かって延伸し、且つ各前記挟持部間を橋架する弾性アームを設けており、前記ボタンは、前記弾性アーム上と、前記絶縁ケージングと、は別に弾動する前記開口内部に弾性設置され、且つ、前記弾性アームは、前記係止部と前記接続部間の局部スロット内まで湾曲延在する曲折部を設けている。これにより、更に前記曲折部を利用することで、前記係止部と前記接続部間の前記局部スロットを遮蔽することができ、且つ前記曲折部の内側の弧における角度が、挿入する前記電線に対して順路に導引する作用を持つ。
【００１２】
本考案のもう一つの目的は、軽く触れるようにボタンを押圧するだけで、大幅に前記挟持口を展開できる接続端子挟持構造を提供することであり、上述の周知技術である従来の接続端子はボタンを深く、また比較的大きな力で押圧、或いは尖端な道具を使用する必要があった点を克服している。
【００１３】
上記目的を達成するために、本考案では、前記挟持先端口にある各前記挟持部上に前記開口に向かってそれぞれ当接面を設け、前記ボタン上には各前記当接面に向かって押圧面を設けている。前記挟持先端口と各前記当接面との間は、凹溝を形成しており、各前記押圧面は前記挟持先端口にある前記凹溝を遮蔽するように延伸したエッジ部に対し、相互に繋ぎ合せるように形成され、且つ前記エッジ部は前記凹溝の一側に向かって係止面を設けている。
【００１４】
上述に基づき、前記ボタン底部にある前記押圧面は下方に向かって延在し、繋ぎ合せることで、エッジ部を形成し、前記押圧面は前記エッジ部の断面上に三角形状の係止面を形成し、且つ前記押圧面と前記エッジ部は二つの前記当接面に当接するようなＶ字型状に構成されおり、これにより、前記電線が前記ボタン底部にある前記押圧面と二つの前記当接面との位置に延伸する場合、前記押圧面と前記当接面とは互いに当接するため、前記係止面は前記ボタン底部と二つの前記当接面の位置を係止し、更に前記電線が前記導電挟持枠以外を貫通することを阻止できる。
その他に、前記ボタンを押圧時、前記ボタンにある前記押圧面がすでに前記挟持部にある前記当接面に当接しており、且つ、エッジ部の頭頂部は各前記当接面の底端より低いため、押圧力が分力し、二つの前記当接面を押圧する力に変わり、前記挟持部の前記挟持口を大幅に展開することを迫り、前記電線を容易に前記挟持口に挿入し、各前記挟持部によって挟持、或いは前記電線を各前記挟持部から抜去する。以上より、前記電線を挿入及び抜去する際、前記ボタンを押圧することで更に効率良く、且つ径が大きい電線の抜去ができるまで前記ボタンを前記挟持口まで押圧した場合、前記ボタン底部に残る高さ空間は最大径の電線を通すことができ、操作上に利便性を向上させる。
【００１５】
本考案のもう一つの目的は、各前記弾性部を安固な一体形成に連結する接続端子挟持構造を提供することであり、上述の従来技術である、各前記弾性部と前記挟持部が容易にボタンによる押圧で変形し、前記挟持口が弾性を失い、前記電線を挟持する作用が損失する問題を克服している。
【００１６】
上述の目的を達成するために、前記弾性部のうちの一つと、前記接続部間は、突起部と嵌合部を介して互いに組合わせることができる。これより、前記弾性部にある前記挟持部が前記ボタンにより頻繁に押圧される状況下においても、前記弾性部は前記突起部及び前記嵌合部を介して安固することができ、さらに、前記弾性部間の距離を変えることなく維持することで、前記挟持口の前記電線を挟持する能力を確保し、耐久を上昇させることができ、使用寿命を延長することができる。
【００１７】
上述の構造における特徴に基づき、前記突起部上は、凹部を設け、前記嵌合部上は、前記凹部に嵌合できる凸部を設けており、これにより、前記突起部と前記嵌合部とが互いに組合わさった際に安固なものとなる。
【００１８】
上述の構造における特徴に基づき、前記接続部には曲折端を設け、前記弾性部のうちの一つと前記曲折端とが互いに当接し、組み合っており、前記突起部と前記嵌合部はそれぞれ前記曲折端及び前記弾性部のうちの一つの上に形成される。これより、前記突起部が前記嵌合部に嵌合する方向は前記弾性アームが動作方向と異なるため、前記弾性アームの動作作用は前記突起部に対して影響することなく、前記突起部及び前記嵌合部は互いに安固な組合せができる。
【００１９】
本考案のもう一つの目的は、細い電線が、過度な抵抗により外部に延伸しないよう前記挟持口における展開する際の抵抗力を低減した挟持構造を提供することである。
【００２０】
上述の目的を達成するため、本考案は、特に前記挟持部から前記挟持口に至るまでの内部挟持構造を二回以上の内折り部により達成しており、多段で比較的小さい内折り角度の前記内折部を使用することで、前記挟持口の単位展開角度における展開抵抗力を低減することができ、さらに、展開後の弾性疲労による現象を低減することもできる。  
【図面の簡単な説明】
【００２１】
【図１】周知技術に係る接続端子の立体分解図である。
【図２】本考案に係る好ましい実施例の立体分解図である。
【図３】本考案に係る好ましい実施例の側面図である。
【図４】本考案に係る好ましい実施例の背面図である。
【図５】本考案に係るもう一つの好ましい実施例の立体分解図である。
【図６】本考案に係るもう一つの好ましい実施例の側面図である。
【図７】本考案に係るもう一つの好ましい実施例の背面図である。
【考案を実施するための形態】
【００２２】
図２乃至図４を参照すると、本考案に係る好ましい実施例を図示しており、本考案はプラスチック製絶縁ケージング１と、前記絶縁ケージング１の内部に設ける金属製導電挟持枠２と、を包含し、前記絶縁ケージング１の側端に少なくてもひとつの挿入口１１を設け、且つ前記絶縁ケージング１の頭頂部に少なくともひとつの開口１２を設けている。前記導電挟持枠２は電気接続部２０と、前記電気接続部２０の両側にそれぞれ設ける弾性部と、を包含しており、前記弾性部は好ましい実施例において第一弾性部２１及び第二弾性部２２として説明を行うが、これに限るものではない。
【００２３】
前記第一弾性部２１或いは前記第二弾性部２２は、接続部２３を有し、前記接続部２３は前記第一弾性部２１と前記第二弾性部２２との間に延伸している。実施例では、前記接続部２３は前記第二弾性部２２の頭頂部に設けられ、且つ前記接続部２３は前記第二弾性部２２から前記第一弾性部２１に向かって延伸し、さらに前記電気接続部２０と、前記接続部２３と、前記第一弾性部２１及び前記第二弾性部２２が口の字型を構成する配列をしている。前記電気接続部２０の底面は前記絶縁ケージング１の底部に露出しているため、前記電気接続部２０を介して接線端子を外部の回路基板上にはんだ付けすることができる。  
【００２４】
前記第一弾性部２１と前記第二弾性部２２はそれぞれ内面に向かって曲折して延伸し、プレート状の挟持部２１１、２２１を形成しており、各前記挟持部２１１、２２１間には前記挿入口１１に対応する挿入スロット２４を形成し、末端を収束して挟持口２４０形成し、さらに、各前記挟持部２１１、２２１の先端縁を介してスロット２５を形成し、前記挟持口２４０と前記スロット２５間に前記スロット２５先端部に設ける挟持先端口２４１を有している。
【００２５】
前記絶縁ケージング１頭頂部にある開口１２内は、前記挟持口２４０を展開できる前記ボタン３を滑動設置している。具体的には、前記接続部２３上には弾性アーム２６が設けてあり、前記弾性アーム２６は絶縁ケージング１の頭頂部にある前記開口１２に向い、各前記挟持部２１１、２２１間を橋架し、前記ボタン３は前記弾性アーム２６の末端に設け、さらに、前記ボタン３と前記絶縁ケージング１はそれぞれ分かれて前記開口１２内部に弾動設置している。前記導電挟持枠２は金属プレートを曲折することにより作成されるため、前記第一弾性部２１及び前記第二弾性部２２にある前記挟持部２１１、２２１と前記弾性アーム２６は弾性力を有する。
【００２６】
前記挟持口２４０にある前記挟持先端口２４１にはそれぞれ前記開口１２に向かって延伸する当接面２１２、２２２と、さらに、前記当接面２１２、２２２は互いの間にV字型である展開形態を設けている。前記ボタン３底部の両側には前記当接面２１２、２２２はそれぞれ押圧面３１、３２に向かって設けており、上述の前記押圧面３１、３２はV字型に配列し、２つの前記押圧面３１、３２は前記当接面２１２、２２２間に対応して設置される。
【００２７】
前記第一弾性部２１及び前記第二弾性部２２にある前記挟持部２１１、２２１上には、少なくても一つに前記スロット２５を遮蔽できる係止部２１３を設けている。実施例では、前記係止部２１３は前記第一弾性部２１の前記挟持部２１１にある先端部が、前記第二弾性部２２に向かって延伸しており、或いは、前記第一弾性部２１及び前記第二弾性部２２の前記挟持部２１１、２２１上に前記係止部２１３に向かってそれぞれ延伸している。好ましい実施例では、前記電気接続部２０から前記挟持先端口２４１に至るまでの間における高度差Ｈは、少なくても前記電気接続部２０から前記係止部２１３の間の高度差ｈより大きいか、或いは同等（小さくはない）であり、これより、前記挟持口２４０の先端部である前記挟持先端口２４１の位置が前記係止部２１３の係止高さより低くあることはない。
【００２８】
好ましい実施例において、前記弾性アーム２６と前記接続部２３との接合する位置に前記導電挟持枠２内部に曲折部２９を設置し、且つ、前記曲折部２９は前記係止部２１３と前記接続部２３の間にある局部スロット２５内に延伸し、これにより、前記曲折部２９は前記局部スロット２５を遮蔽する他、前記曲折部２９の湾曲弧により前記挿入口１１から挿入された前記電線４０を前記挿入スロット２４及び前記挟持口２４０に向かって導くことができる。
【００２９】
使用時において、電気抵抗、キャパシタ、インダクタ、LED、変圧器、液晶パネル或いはタッチパネル等の電子パーツにある電線４０の接続ピンを接続することができ、前記挿入口１１を介して前記絶縁ケージング１内部に挿入し、前記電線４０に前記第一弾性部２１及び前記第二弾性部２２にある前記挟持部２１１、２２１或いは前記挟持口２４０に当接させ、各前記挟持部２１１、２２１或いは前記挟持口２４０は前記導電挟持枠２の外側に向かって弾性移動して展開する前記挟持口２４０を押圧し、前記電線４０が前記挟持口２４０を通過した際、各前記挟持部２１１、２２１が前記挟持口２４０に対して弾性力を提供し、前記電線４０を挟持口２４０内に挟持することができる。
【００３０】
この期間、前記挟持部２１１、２２１上にある前記係止部２１３は前記電線４０が前記スロット２５を介して前記導電挟持枠２外に延伸するのを阻止しており、且つ、前記挟持口２４０は前記スロット２５の挟持先端口２４１から前記電気接続部２０まで連通することができる高度差Ｈは、少なくても前記係止部２１３から前記電気接続部２０までの高度差ｈより小さいことはなく、前記挟持先端口２４１が前記係止部２１３により十分に遮蔽を受け、前記挟持先端口２４１はすべて前記挿入スロット２４にある前記挟持口２４０の規範エリア以外に向かって通じている。これにより、外部の前記電線４０が前記挿入口１１を介して前記第一弾性部２１と前記第二弾性部２２の間に挿入される際、前記係止部２１３は前記電線４０が前記スロット２５或いは挟持先端口２４１を介して、前記導電挟持枠２或いは前記挟持口２４０に対応する位置以外に貫通するのを防ぎ、前記電線４０が容易に前記挟持口２４０に挿入されるよう導引している。
【００３１】
前記電線４０の接続端子を抜去する際は、前記ボタン３を押圧することで駆使し、前記押圧面３１、３２が前記第一弾性部２１と前記第二弾性部２２の前記当接面２１２、２２２を押圧することで、前記ボタン３の前記押圧面３１、３２が前記当接面２１２、２２２に沿って前記挟持口２４０を展開し、前記第一弾性部２１と前記第二弾性部２２間の前記挟持部２１１、２２１が、それぞれ前記導電挟持枠２の外側による弾性展開により前記挟持口２４０を展開することで、前記電線４０は順調に各前記挟持部２１１、２２１或いは前記挟持口２４０の間から抜去できる。
【００３２】
上述より、前記電線４０が接続端子の前記導電挟持枠２或いは前記挟持口２４０外部に延伸することを阻止し、且つ、前記電線４０を容易に前記挟持部２１１、２２１或いは前記挟持口２４０に挿入し、挟持させることができ、周知技術である、外部電線が容易に接続端子の前記導電挟持枠或いは前記挟持口外部に出てしまい、接続端子が電線に対する挟持により導電及び電線が抜け落ちるのを防ぐ作用を大きく低減或いは損失させ、使用上の不具合率を下げることができ、克服している。
【００３３】
図２を参照すると、もう一つの好ましい実施例を図示しており、前記第一弾性部２１と前記接続部２３間は、前記突起部２７及び前記嵌合部２８により互いに組み合わさっており、前記突起部２７上には凹部２７１が設けてあり、且つ前記嵌合部２８上には前記凹部２７１に嵌合できる凸部２８１が設けてあるため、更に前記突起部２７と前記嵌合部２８が互いに安固に接続することができる。詳しく説明すると、前記突起部２７は前記接続部２３上に形成され、且つ前記突起部２７は丸型輪郭を形成しており、前記凹部２７１は丸型輪郭の前記突起部２７と前記接続部２３との接続する箇所の両側に位置し、前記嵌合部２８は前記第一弾性部２１先端部に形成され、且つ前記嵌合部２８は丸型輪郭を形成し、前記凸部２８１は丸型輪郭の前記突起部２７にある前記凹部２７１に位置している。
【００３４】
これより、前記第一弾性部２１と前記第二弾性部２２との前記挟持部２１１、２２１は前記ボタン３によって頻繁に押圧或いは前記電線４０によって長時間押圧される状況下において、前記突起部２７及び前記嵌合部２８を介して、前記第一弾性部２１及び前記第二弾性部２２間が安固な関係となり、前記第一弾性部２１と前記第二弾性部２２間の展開距離を維持し、前記電気接続部２０と、前記接続部２３と、前記第一弾性部２１及び前記第二弾性部２２間の予想外のはみ出し或いは捻じれによる変形を防ぐことができ、さらに、前記挟持口２４０が前記電線４０を挟持できる能力を上昇し、寿命も延長できる。
【００３５】
さらに好ましい実施例において、前記接続部２３は前記第一弾性部２１に当接する前記曲折端２３１を設け、前記突起部２７と前記嵌合部２８が前記曲折端２３１及び前記第一弾性部２１上にそれぞれ形成される。これにより、前記弾性アーム２６における上下運動とは異なる方向に前記突起部２７を前記嵌合部２８に嵌入でき、これより前記弾性アーム２６の上下運動の作用により、前記突起部２７には影響せず、前記突起部２７及び前記嵌合部２８が互いに組み合い、安固している。
【００３６】
図５乃至図７を参照すると、さらに好ましい実施例を図示しており、前記挟持先端口２４１と各前記当接面２１２、２２２間に形成される凹溝２５１（図３、４を参照）と、各前記押圧面３１、３２底部には互いにリンクし、前記挟持先端口２４１の付近まで延伸し、前記凹溝２５１のエッジ部３３を遮蔽し、且つ前記エッジ部３３が前記凹溝２５１の片側に前記係止面３４を設置する。前記ボタン３の底部にある前記押圧面３１、３２は下方に向かってリンクし、延伸する前記エッジ部３３は前記押圧面３１、３２と前記エッジ部３３断面上に三角形形状の前記係止面３４を構成しており、前記押圧面３１、３２と前記エッジ部３３はV字型輪郭に構成され、２つの前記当接面２１２、２２２に当接している。前記電線４０は前記ボタン３底部にある前記押圧面３１、３２と前記当接面２１２、２２２は互いに当接することで、前記係止面３４は前記ボタン３の底部と各前記当接面２１２、２２２が位置する場所（前記スロット２５と挟持先端口２４１間にある凹溝２５１）を係止することができ、これにより前記電線４０が前記挟持口２４０の外部に付き出ることを阻止できる。
【００３７】
前記ボタン３を押圧する際、前記ボタン３にある前記押圧面３１、３２が前記挟持部２１１、２２１にある前記当接面２１２、２２２に当接し、且つ、前記エッジ部３３の頭頂部は、各前記当接面２１２、２２２に当接し、前記ボタン３を押圧する力を各前記当接面２１２、２２２を押圧する二つの力に分け、前記挟持部２１１、２２１による反対方向に対する弾性を克服し、前記開口２４０の展開度も大きくなり、前記電線４０が前記挟持口２４０に挟持され、或いは逆に前記電線４０の抜去するのを容易にしている。
【００３８】
以上より、前記電線４０を挿入及び抜去する際、前記ボタン３を押圧することで発生する前記挟持口２４０或いは前記挟持部２１１、２２１の展開程度がもっと効率的であり、且つ前記ボタン３が前記挟持口２４０を押圧することで最大径の電線が抜去できる広さに展開する際、前記ボタン３底部にはスペースがあり、これは最大径の前記電線４０が通過できる。周知技術である、従来の電線接続端子では、ボタンをより深く押圧する必要があるため、比較的大きな力或いは尖端な工具を使用するといった問題を克服しており、さらに進歩性と操作の便利性を備えている。
【００３９】
さらに図２乃至図７を参照すると、本考案は前記第一弾性部２１及び前記第二弾性部２２から前記挟持口２４０間の各前記挟持部２１１、２２１まで延伸し、更に少なくても二回以上の内折り部２１４、２２４を介し、全ての内挟距離を完成させ、また、内挟距離により発生する弾性挟持力をすべて発散され、比較的細い前記電線４０の挿入を阻止する単位展開あたりにおける弾性抵抗力が低減し、捻じれや挿入偏向が起こることを防ぐことができる。
【００４０】
上述に述べたものは好ましい実施例であり、本考案に掲示されている効果において修飾或いは置換するものは特許申請範囲に包含されるものであり、これに限るものではない。
【符号の説明】
【００４１】
１、１ａ            絶縁ケージング
１１、１１ａ        挿入口
１２、１２ａ        開口
２、２ａ            導電挟持枠
２０、２０ａ        電気接続部
２１                第一弾性部
２１ａ、２２ａ      弾性部
２１１、２１１ａ    挟持部
２２１、２２１ａ    挟持部
２１２、２２２      当接面
２１３              係止部
２１４、２２４      内折り部
２２                第二弾性部
２３                接続部
２３１              曲折端
２４                挿入スロット
２４０、２４ａ      挟持口
２４１、２４１ａ    挟持先端口
２５、２５ａ        スロット
２５１              凹溝
２６                弾性アーム
２７                突起部
２７１              凹部
２８                嵌合部
２８１              凸部
２９                曲折部
３、３ａ            ボタン
３１、３２          押圧面
３３                エッジ部
３４                係止面
４０                電線
Ｈ、ｈ              高度差
【図１】
0003204016.tif 000003
【図２】
0003204016.tif 000004
【図３】
0003204016.tif 000005
【図４】
0003204016.tif 000006
【図５】
0003204016.tif 000007
【図６】
0003204016.tif 000008
【図７】
0003204016.tif 000009
【手続補正書】
【提出日】平成28年2月29日(2016.2.29)
【手続補正１】
【補正対象書類名】実用新案登録請求の範囲
【補正対象項目名】全文
【補正方法】変更
【補正の内容】
【実用新案登録請求の範囲】
【請求項１】
絶縁ケージングと、前記絶縁ケージング内に設ける導電挟持枠と、を包含し、前記絶縁ケージング上は挿入口及び開口が設けられ、前記導電挟持枠は電気接続部及び前記電気接続部の両側にそれぞれ設ける二つの弾性部と、を包括し、各前記弾性部はそれぞれ延伸して形成される挟持部と、各前記挟持部間は相対し合って、前記挿入口に対応する挿入スロットと、挟持口と、を形成し、前記挟持部の頭頂縁の位置する箇所にスロットを形成し、前記開口内部には前記挟持口を押圧によって展開する可動式のボタンを設け、前記弾性部の少なくても一つは前記挟持部上に前記スロットを遮蔽できる係止部を設け、且つ前記挟持口の先端部が少なくても前記係止部における遮蔽の高さ以上であることを特徴とする接続端子挟持構造。
【請求項２】
前記電気接続部から前記挟持口の先端部に至るまでの間における高度差が、少なくても前記電気接続部から前記係止部に至るまでの間における高度差より大きいことを特徴とする請求項1に記載の接続端子挟持構造。
【請求項３】
前記挟持口の先端部に前記開口に向かって展開する形態を有する挟持先端口を設け、前記挟持先端口が少なくても前記係止部の係止高さより低くないことを特徴とする請求項1或いは２に記載の接続端子挟持構造。
【請求項４】
前記弾性部の一つが、前記弾性部間まで延伸する前記接続部を設けており、前記接続部には前記開口に向かって延伸、且つ各前記挟持部間を橋架する弾性アームを設けており、前記ボタンは前記弾性アーム上に設けられ、前記絶縁ケージングの前記開口内部とは分けて可動に設置し、且つ前記弾性アームには前記係止部と前記接続部間に延伸する曲折部を設けており、局部スロットを遮蔽することができることを特徴とする請求項１或いは２に記載の接続端子挟持構造。
【請求項５】
前記弾性部のうち一つが、前記弾性部間まで延伸する前記接続部を設けており、前記接続部には前記開口に向かって延伸、且つ各前記挟持部間を橋架する弾性アームを設けており、前記ボタンは前記弾性アーム上に設けられ、前記絶縁ケージングの前記開口内部とは分けて可動に設置し、且つ前記弾性アームには前記係止部と前記接続部間に延伸する曲折部を設けており、局部スロットを遮蔽することができることを特徴とする請求項３に記載の接続端子挟持構造。
【請求項６】
前記挟持先端口上に前記開口に向かって設ける二つの当接面と、前記ボタン上に各前記当接面に向かって設ける二つの押圧面を有することを特徴とする請求項３或いは５に記載の接続端子挟持構造。
【請求項７】
前記挟持先端口と各前記当接面との間に凹溝を形成しており、各前記押圧面は前記挟持先端口にある前記凹溝を遮蔽するように延伸したエッジ部に対し、相互に繋ぎ合せるように形成され、且つ前記エッジ部は前記凹溝の一側に向かって係止面を設けていることを特徴とする請求項６に記載の接続端子挟持構造。
【請求項８】
前記弾性部の一つと、前記接続部と、を突起部及び嵌合部を介して互いに組合わせることを特徴とする請求項４或いは５に記載の接続端子挟持構造。
【請求項９】
前記突起部上には凹部を設け、前記嵌合部には前記凹部に嵌合できる凸部を設けることを特徴とする請求項８に記載の接続端子挟持構造。
【請求項１０】
前記挟持口に向かって延伸する前記弾性部にある前記挟持部が、少なくても二回以上の内折り部によって全ての内挟距離を完成させることを特徴とする請求項１乃至９のいずれかに記載の接続端子挟持構造。
【請求項１１】
前記弾性部が前記電気接続部の両側にある第一弾性部及び第二弾性部によって形成されることを特徴とする請求項１乃至１０のいずれかに記載の接続端子挟持構造。